(57)【要約】【課題】  ランプキャップの透光部の面積を減少させたり透光部の形成位置を変更することなく、光源収納部に対するランプキャップの位置決めを行うことができるテープカセットを提供する。【解決手段】  テープリールに巻装されている磁気テープのテープ量を検出するテープ終端検出用の光源収納部２３は、下シェル３の前壁３ａ内面に連接された略円筒形状のリブ構成体３ｂにより区画され、ランプキャップ２２は、光源収納部２３を跨るようにリブ構成体３ｂの上端の切欠き３ｃに当接する一対の脚部２２ｂを有すると共に、これら一対の脚部２２ｂの下端には、リブ構成体３ｂの外周部と下シェル前壁３ａの内面部との間に嵌合する位置決め突起２２ｄがそれぞれ形成されている。【選択図】        図６
2005243198.tif 000002
【特許請求の範囲】
【請求項１】
上シェルと下シェルとを結合することにより形成されるカセット本体内に、磁気テープを巻装した一対のリールと、これらリールに巻装されているテープ量を検出するテープ終端検出用の光源収納部と、この光源収納部を被覆する透明なランプキャップとを備えたテープカセットにおいて、
前記光源収納部は、前記下シェルの前壁内面に連接されたリブ構成体により区画され、
前記ランプキャップは、前記リブ構成体の上端に当接する一対の脚部を有すると共に、これら一対の脚部の下端には、前記リブ構成体の外周部と前記下シェルの前壁内面部との間に嵌合する位置決め突起がそれぞれ形成されている
ことを特徴とするテープカセット。
【請求項２】
前記リブ構成体は、略円筒形状を有すると共に、前記下シェルの前壁内面部と協働して前記位置決め突起を挟持する
ことを特徴とする請求項１に記載のテープカセット。
【請求項３】
前記下シェルの前壁内面部には、前記ランプキャップの両側面に形成されたガイドリブに当接する一対の位置決めリブが突設されている
ことを特徴とする請求項１に記載のテープカセット。
【請求項４】
前記下シェルの前記ランプキャップとの組付位置には、前記ランプキャップの組付けをガイドするテーパー面が形成されている
ことを特徴とする請求項３に記載のテープカセット。
【請求項５】
前記リブ構成体の上端部には、前記ランプキャップの一対の脚部を各々収容する切欠きが形成されている
ことを特徴とする請求項１に記載のテープカセット。
【請求項６】
前記切欠きの後端部には、前記脚部の後端部に形成された組付方向規制リブと係合する係合凹所が形成されている
ことを特徴とする請求項５に記載のテープカセット。
【請求項７】
前記下シェルの前壁は、全体にわたって一様な高さに形成されている
ことを特徴とする請求項１に記載のテープカセット。
【請求項８】
前記リブ構成体は、前記下シェルに組み付けられた前記ランプキャップの上面よりも低く形成されている
ことを特徴とする請求項１に記載のテープカセット。
【発明の詳細な説明】
【技術分野】
【０００１】
本発明は、磁気テープを巻装した一対のテープリールをカセット本体の内部に回転可能に収容したテープカセットに関し、更に詳しくは、テープ量を検出するテープ終端検出用光源収納部に取り付けられたランプキャップの位置決め構造に関する。
【背景技術】
【０００２】
テープカセットは一般に、上シェルと下シェルとを互いに結合してなるカセット本体の内部に、テープ状記録媒体としての磁気テープを巻装した一対のテープリールを回転可能に収納して構成されている。そして、この種のテープカセットにおいては、テープリールに巻装されている磁気テープのテープ量を検出するためのテープ終端検出用の光源収納部を備えたものがある（下記特許文献１参照）。
【０００３】
図１５及び図１６Ａ，Ｂに示すように、テープ終端検出用の光源収納部１０１は、下シェル１０２の前壁１０２ａの中央部内面に連接された略円筒状のリブ構成体１０２ｂにより区画され、下シェル３の底面を貫通する貫通孔で構成されている。リブ構成体１０２ｂの上端両側部には、下シェル１０２の両側方に形成された検出窓１０２ｃへ光源１０３から出射される検出光Ｌをそれぞれ導く切欠き１０２ｄが形成され、この切欠き１０２ｄ上には、光源収納部１０１を跨るように図１７に示す構成のランプキャップ１０４が載置されている。
【０００４】
ランプキャップ１０４は透明なプラスチック材料の射出成形体でなり、光源収納部１０１を被覆する天板部１０４ａと、リブ構成体１０２ｂ上端の切欠き１０２ｄ形成領域に当接する一対の脚部１０４ｂとを有し、これら一対の脚部１０４ｂの下端から所定高さ位置に亘る一部領域は、光源１０３からの出射光を透過させる透光部１０４ｃとされている。
【０００５】
そして、このテープカセットが図示しない記録再生装置へ装着されると、下シェル１０２の下面側から光源収納部１０１に光源１０３が挿入され、リブ構成体１０２ｂの切欠き１０２ｄ及びこれに載置されるランプキャップ１０４の透光部１０４ｃを介して、下シェル１０２の検出窓１０２ｃへ向けて、検出光Ｌを出射する。透光部１０４ｃと検出窓１０２ｃとの間に磁気テープ１０６が存在する場合には、検出光Ｌは検出窓１０２ｃへ到達しないが、磁気テープ１０６の始端又は終端まで磁気テープが巻き取られ又は巻き出されると、磁気テープ１０６の端部に接続されている透明なリーダーテープを介して検出光Ｌが検出窓１０２ｃへ到達することになる。これにより、図１５に示したように、検出窓１０２ｃの外方位置にそれぞれ配置された検出センサ１０７によって検出光Ｌが検出され、テープリール１０５の回転速度が減速制御される。
【０００６】
ところで、上述した構成の従来のテープカセットにおいて、ランプキャップ１０４は、下シェル１０２の前壁１０２ａ内面に突設された一対の位置規制リブ１０２ｅ（図１６Ａ，Ｂ）によってその左右方向における位置規制がなされると共に、上シェルと下シェルとの間で挟持されることによりその組付姿勢が保持される。
【０００７】
しかし、例えば、ランプキャップ１０４が一側方側へ倒れ込み、その一方の脚部１０４ｂが光源収納部１０１の筒状空間内に入り込んだ不適切な姿勢で組み込まれる可能性がある。この状態でテープカセットが組み上げられてしまうと、光源１０３が適正に光源収納部１０１内へ進入できなかったり、進入できたとしても、ランプキャップ１０４の姿勢が不適切であるため、検出光Ｌが検出窓１０２ｃへ導かれない事態が発生する。このような場合、上述したテープ終端検出動作を行うことが不可能となってしまう。
【０００８】
そこで、下記特許文献１に開示されているように、ランプキャップの一対の脚部下端を挟持する構造の位置決め挟持リブを下シェル内面部に形成し、光源収納部とランプキャップとの間の相対位置を規制して、ランプキャップが不適切な姿勢でカセット本体内に組み込まれることを防止するものがある。
【０００９】
【特許文献１】特開平８−１７１６６号公報
【発明の開示】
【発明が解決しようとする課題】
【００１０】
しかしながら、上記特許文献１に記載のように、下シェル内面に形成した位置決め挟持リブによって、ランプキャップの一対の脚部下端を挟持する構成では、これら一対の脚部に形成された検出光の透光部の面積が減少したり、当該透光部の形成位置を上記位置決め挟持リブの形成高さよりも高い位置に設定する必要が生じる。
【００１１】
この場合、透光部の面積減少により検出センサが検出する出射光の光量が減少して検出精度が低下する懸念が生じ、また、透光部の形成位置の変更に伴い、検出窓の形成位置及び検出センサの配置位置にも変更が迫られることになるので、仕様変更によるシステムの負担増を招いてしまう。
【００１２】
本発明は上述の問題に鑑みてなされ、ランプキャップの透光部の面積を減少させたり透光部の形成位置を変更することなく、光源収納部に対するランプキャップの位置決めを行うことができるテープカセットを提供することを課題とする。
【課題を解決するための手段】
【００１３】
以上の課題を解決するに当たり、本発明のテープカセットは、上シェルと下シェルとを結合することにより形成されるカセット本体内に、磁気テープを巻装した一対のリールと、これらリールに巻装されているテープ量を検出するテープ終端検出用の光源収納部と、この光源収納部を被覆する透明なランプキャップとを備え、光源収納部は、下シェルの前壁内面に連接されたリブ構成体により区画され、ランプキャップは、上記リブ構成体の上端に当接する一対の脚部を有すると共に、これら一対の脚部の下端には、上記リブ構成体の外周部と下シェルの前壁内面部との間に嵌合する位置決め突起がそれぞれ形成されている。
【００１４】
以上の構成により、ランプキャップは、光源収納部へ取り付けられる際、一対の脚部の下端にそれぞれ形成された位置決め突起が、リブ構成体の外周部と下シェルの前壁内面部との間に嵌合し、これら一対の脚部がリブ構成体の上端に当接する適正な組付け姿勢に保持される。
【００１５】
これにより、例えば、一方の脚部が光源収納部内に入り込んだ不適切な姿勢でランプキャップがカセット本体内に組み込まれることが防止され、光源収納部内における光源の挿入が阻害されたり、当該光源から出射される検出光が適正に検出窓へ導かれない等の不都合を回避することができる。
【００１６】
また、透光部の面積を減少させたり透光部の形成位置に変更を生じさせることなく、ランプキャップを上記光源収納部へ位置決め保持できるので、検出光の検出精度を低下させたり、システムの仕様変更を必要とすることもない。
【発明の効果】
【００１７】
以上述べたように、本発明のテープカセットによれば、透光部の面積を減少させたり透光部の形成位置に変更を生じさせることなく、ランプキャップをテープ終端検出用の光源収納部へ位置決め保持できるので、検出光の検出精度を低下させたり、システムの仕様変更を必要とすることなく、ランプキャップの位置決めを行うことができる。
【発明を実施するための最良の形態】
【００１８】
以下、本発明の実施の形態について図面を参照して説明する。
【００１９】
（第１の実施の形態）
図１〜図３は本発明の第１の実施の形態によるテープカセット１の構成を示しており、図１はテープカセット１の上シェル２側から見たときの斜視図、図２は下シェル３側から見たときの斜視図、図３は分解斜視図である。
【００２０】
テープカセット１は、例えば合成樹脂材料の射出成形体でなる上シェル２と下シェル３とを互いに結合してなるカセット本体４の内部に、テープ状記録媒体としての磁気テープ５を巻装した一対のテープリール６を左右に離間して回転可能に収納することによって構成されている。
【００２１】
カセット本体４の前部には、前方及び上下に開放されるテープローディング用の空間部（マウス部）７が形成されている。磁気テープ５は、この空間部７を横切るように、カセット本体４の前部から突出形成された一対の角筒状のテープ引出し部８間に架け渡されている。これらの一対のテープ引出し部８は上シェル２と下シェル３とが互いに結合されることによって構成され、空間部７を区画し、その下シェル３側にはテープ走行領域を構成するテープガイド９がそれぞれ設けられている。
【００２２】
空間部７を横切る磁気テープ５は、非使用時、リッド構体１０により覆われており、磁気テープ５への塵埃の付着や手指の接触による油脂等の付着が防止されるようになっている。リッド構体１０は、磁気テープ５の前面側を覆うフロントリッド１１と、磁気テープ５の背面側を覆うバックリッド１２との組合せ体で構成されている。フロントリッド１１は、その両端内面側に突出形成された回動軸２５のまわりに回動可能とされ、カセット非使用時はリッドスプリング２６の付勢力により空間部７を閉塞すると共に、リッドロック部材２７によって不用意な開放動作が規制される。
【００２３】
一対のテープリール６は、それぞれ、上リール１３と下リール１４との接合体でなり、下リール１４にはリールハブ１５が一体形成されている。磁気テープ５は、各テープリール６のリールハブ１５に対してクランパ１６を介して一体化されている。テープリール６の各々の下面には、図示しない記録再生装置のリール回転駆動軸に係合されるチャッキングギヤ６Ａ（図２）が形成されており、これらは下シェル３に穿設された開口１７を介して外部へ露出されている。
【００２４】
カセット本体４の内部には、更に、リールロック部材１８、リールロックスプリング１９、一対のリールスプリング２０、セイフティタブ２１、ランプキャップ２２等が収納されている。
【００２５】
リールロック部材１８は、テープカセット１の非使用時、リールロックスプリング１９の付勢力を受けて、テープリール６（下リール１４）の外周面に形成されているギヤに係合してテープリール６の回転を規制し、カセット本体４の内部における磁気テープ５の弛みを防止する。
【００２６】
リールスプリング２０は、上シェル２の内面側に取り付けられており、テープリール６の上面中央部を押圧している。そして、カセット非使用時においては、テープリール６を下シェル３側へ押し付けて当該テープリール６のガタツキを抑える。また、カセット使用時においては、テープリール６をリール回転駆動軸に押し付けて当該テープリール６の回転の安定化を図る。
【００２７】
セイフティタブ２１は、磁気テープ５に記録された情報の誤消去や誤記録を防止するためのもので、カセット本体４の背面側において記録可能位置と記録不可能位置との間をスライド自在に組み込まれている。
【００２８】
ランプキャップ２２は、後に詳述するように、記録再生装置内においてカセット本体４の前面側略中央の光源収納部２３に挿入されるテープ終端検出用の光源を覆う透明な部材であり、光源からの出射光を一対のテープ引出し部８の外面に各々設けられた検出窓２４へ導く。
【００２９】
次に、図４〜図７を参照してランプキャップ２２の詳細について説明する。ここで、図４はテープカセットの上シェルを取り外して見たときの平面図、図５Ａ，Ｂはランプキャップ２２の斜視図及び背面図、図６Ａ，Ｂは光源収納部２３の詳細図、図７は光源収納部２３に対するランプキャップ２２の組付状態を示す斜視図である。
【００３０】
ランプキャップ２２は、透明なプラスチック材料の射出成形体でなり、図５Ａ，Ｂに示すように、光源収納部２３を被覆する天板部２２ａと、一対の脚部２２ｂとを有している。これら脚部２２ｂの下端から所定高さ位置に亘る一部領域は、光源収納部２３に挿入されたテープ終端検出用光源の出射光を透過させる透光部２２ｃとされている。
【００３１】
また、一対の脚部２２ｂ下端の各々の前方側には、位置決め突起２２ｄがそれぞれ形成されている。位置決め突起２２ｄは、後述するように、下シェル３側の光源収納部２３に対するランプキャップ２２の位置決めに用いられる。更に、一対の脚部２２ｂの各々の前端には、後述するように下シェル３の前壁３ａの内面に形成された位置決めリブ３ｄと接触するガイドリブ２２ｆがそれぞれ形成されている。
【００３２】
光源収納部２３は、図６Ａに示すように、下シェル３の前壁３ａの中央部内面に連接された略円筒状のリブ構成体３ｂにより区画され、下シェル３の下面側から光源３０が進入可能な貫通孔で構成されている。このリブ構成体３ｂの上端には、ランプキャップ２２の一対の脚部２２ｂと係合するように切欠き３ｃが形成されている。下シェル３の前壁３ａ及びリブ構成体３ｂは、図７に示すように、ランプキャップ２２の取付高さよりも低く形成されている。特に、下シェル３の前壁３ａは、上シェル２の前壁と略同等の高さとされている。なお、３ｈは、上、下シェル２，３結合用のネジ部材の挿通孔である。
【００３３】
ランプキャップ２２は、光源収納部２３に組み付けられると、図６Ｂ及び図７に示すように、一対の脚部２２ｂの下端がリブ構成３ｂの上端の切欠き３ｃ形成領域に当接すると共に、位置決め突起２２ｄが下シェル前壁３ａの内面部とリブ構成体３ｂの外周部との間の隙間に嵌合する。このとき、リブ構成体３ｂが略円筒状に形成されているので、下シェル前壁３ａの内面部と協働して、位置決め突起２２ｄを前後、左右方向に挟持、位置決めすることができるようになっている。
【００３４】
また、下シェル３の前壁３ａの内面部には、リブ構成体３ｂを一部囲むように一対の位置決めリブ３ｄが突設されており、ランプキャップ２２のガイドリブ２２ｆに接触してランプキャップ２２を横方向に挟持、位置決めすることができるようになっている。ガイドリブ２２ｆは、ランプキャップ２２を光源収納部２３に組み付ける際、位置決めリブ３ｄに接触して、位置決め突起２２ｄを下シェル前壁３ａの内面部とリブ構成体３ｂの外周部との間の隙間へ導くガイド機能を果たす。
【００３５】
更に本実施の形態では、下シェル３のランプキャップ２２との組付位置、例えば、下シェル３の前壁３ａの内面上端、及び、位置決めリブ３ｄの内面上端に、ランプキャップ２２の組付けをガイドするテーパー面ｔ１，ｔ２をそれぞれ形成しており、これにより、位置決め突起２２ｄに対する嵌合位置へのガイド機能を高め、光源収納部２３に対するランプキャップ２２の組付け性を向上させている。
【００３６】
以上のように構成される本実施の形態のテープカセット１においては、ランプキャップ２２の一対の脚部２２ｄの各々の下端に位置決め突起２２ｄをそれぞれ形成し、これら位置決め突起２２ｄを下シェル３の前壁３ａ内面部とリブ構成体３ｂの外周部との間に嵌合させることによって、光源収納部２３に対するランプキャップ２２の適正な組付姿勢を保持あるいは位置決めするようにしているので、ランプキャップ２２の不適切な姿勢での組付けを回避できると共に、組付作業の適正化及び作業性の改善を図ることができる。
【００３７】
また、位置決め突起２２ｄの嵌合作用により、ランプキャップ２２の変形の矯正及び規制を行うことができると共に、図７に示したように、下シェル前壁３ａ及びリブ構成体３ｂが、下シェルに組み付けられたランプキャップ２２の上面よりも低く形成され、その結果、下シェル前壁３ａ及びリブ構成体３ｂの上端に対してランプキャップ２２の突出量が大きく、これら前壁３ａ及びリブ構成体３ｂによるランプキャップ２２の支持作用が少なくても、ランプキャップ２２の組付姿勢を安定に保持することができる。
下シェル３の底面の平面度が高められるような成形性を得るためには、下シェル底面から立設されるリブ等は段差が少なく一様であることが好ましく、その解決手段の一つとして本実施の形態では、前壁３ａの高さを全体にわたって一様な高さとし、更にリブ構成体３ｂをランプキャップ２２の上面の高さよりも低く形成している。
【００３８】
以上の構成により、当該テープカセット１の使用時において、光源収納部２３に挿入された光源からの出射光Ｌを、図４に示すようにカセット本体側方の検出窓２４へ適正にガイドする機能を確保することができ、信頼性の高いテープ終端検出動作を機能させることができる。
【００３９】
また、本実施の形態によれば、ランプキャップ２２の透光部２２ｃの面積を減少させず且つ透光部２２ｃの形成位置を変更することなく、ランプキャップ２２の位置決めを行うことができるので、カセット本体の両側方に配置された検出センサ１０７の受光感度を低下させたり、検出窓２４の形成位置及び検出センサ１０７の配置位置の変更を要することなく、本発明を実施することができる。
【００４０】
（第２の実施の形態）
続いて、本発明の第２の実施の形態について、図８〜図１４を参照して説明する。本実施の形態では、光源収納部２３に対するランプキャップ３２の前後方向における誤組付防止構造について説明する。なお、図において、上述の第１の実施の形態と対応する部分については同一の符号を付し、その詳細な説明は省略するものとする。
【００４１】
図８は、本実施の形態のランプキャップ３２の構成を示している。ランプキャップ３２は、上述の第１の実施の形態と同様、透明なプラスチック材料の射出成形体でなり、光源収納部２３を被覆する天板部３２ａと、一対の脚部３２ｂと、透光部３２ｃと、位置決め突起３２ｄと、ガイドリブ３２ｆとをそれぞれ有している。
【００４２】
更に、本実施の形態のランプキャップ３２の一対の脚部３２ｂのそれぞれの後端には、光源収納部２３に対するランプキャップ３２の前後方向における誤組付を規制する組付方向規制リブ３２ｅが形成されている。
【００４３】
一方、光源収納部２３にあっては、図９〜図１１に示すように、ランプキャップ３２の一対の脚部３２ｂを収容する切欠き３ｃの後端部に、ランプキャップ３２の組付方向規制リブ３２ｅと係合する一対の係合凹所３ｅが形成されており、ランプキャップ２２の光端面と切欠き３ｃの後端面とが互いに当接するようになっている。
【００４４】
また、本実施の形態では、下シェル３のランプキャップ３２との組付位置、例えば図９に示すように、下シェル３の前壁３ａの内面上端、位置決めリブ３ｄの内面上端、及び、リブ構成体３ｂの切欠き３ｃ形成領域の外面前方側に、ランプキャップ３２の組付けをガイドするテーパー面ｔ１，ｔ２及びｔ３をそれぞれ形成しており、これにより、位置決め突起３２ｄに対する嵌合位置へのガイド機能を高め、光源収納部２３に対するランプキャップ３２の組付け性を向上させている。
【００４５】
以上のように構成される本実施の形態においては、ランプキャップ３２の一対の脚部３２ｄの各々の下端に位置決め突起３２ｄをそれぞれ形成し、これら位置決め突起３２ｄを下シェル３の前壁３ａ内面部とリブ構成体３ｂの外周部との間に嵌合させることによって（図１２，１３）、光源収納部２３に対するランプキャップ３２の適正な組付姿勢を保持あるいは位置決めすることができるので、ランプキャップ３２の不適切な姿勢での組付けを回避できると共に、組付作業の適正化が図られ、作業性の改善を図ることができる。
【００４６】
また、本実施の形態では、ランプキャップ３２の後端面に組付方向規制リブ３２ｅを設けているので、図１４Ａ，Ｂに示すように、ランプキャップ３２が光源収納部２３に対して前後方向を誤って組み付けられたとしても、一対の脚部３２ｂが切欠き３ｃ上端に当接せず、組付方向規制リブ３２ｅが上シェル２の前壁２ａと下シェル３の前壁３との間に挟み込まれる結果、上、下シェル２，３間の結合が不可能となる。これにより、作業者に対し、ランプキャップ３２の誤組付を容易に認識させることができ、誤った姿勢でのランプキャップ３２の組付を確実に防止できる。
【００４７】
以上、本発明の各実施の形態について説明したが、勿論、本発明はこれらに限定されることなく、本発明の技術的思想に基づいて種々の変形が可能である。
【００４８】
例えば以上の実施の形態では、いわゆる８ｍｍカセットのテープ終端検出用光源収納部及びこれに組み付けられるランプキャップに対して本発明を適用した例について説明したが、勿論本発明はこれに限られず、ＤＶカセットやＶＨＳカセット等、テープ終端検出用光源収納部及びこれに組み付けられるランプキャップを備えた他のテープカセットに対しても、本発明は適用可能である。
【図面の簡単な説明】
【００４９】
【図１】本発明の第１の実施の形態によるテープカセット１の上シェル２側から見たときの斜視図である。
【図２】テープカセット１の下シェル３側から見たときの斜視図である。
【図３】テープカセット１の分解斜視図である。
【図４】テープカセットの上シェルを取り外して見たときの平面図である。
【図５】ランプキャップ２２の構成を示し、Ａは斜視図、Ｂは背面図である。
【図６】Ａは光源収納部２３を示す平面図であり、Ｂは光源収納部２３に対するランプキャップ２２の組付状態を示す平面図である。
【図７】光源収納部２３に対してランプキャップ２２が組み付けられた状態を示す斜視図である
【図８】本発明の第２の実施の形態によるランプキャップ３２の構成を示す斜視図である。
【図９】光源収納部２３の構成を示す平面図である。
【図１０】光源収納部２３に対してランプキャップ３２が組み付けられた状態を示す斜視図である。
【図１１】光源収納部２３に対してランプキャップ３２が組み付けられる前の状態を示す斜視図である。
【図１２】光源収納部２３に対するランプキャップ３２の組付状態を示す平面図である。
【図１３】図１２における［１３］−［１３］線方向断面図である。
【図１４】光源収納部２３に対してランプキャップ３２が前後方向を誤って組み付けられたときの状態を示す要部側断面図である。
【図１５】従来のテープカセットの上シェルを取り外して見たときの平面図である。
【図１６】Ａは従来のテープカセットの光源収納部を示す平面図であり、Ｂはこの光源収納部に対するランプキャップの組付状態を示す平面図である。
【図１７】従来のテープカセットのランプキャップの構成を示す斜視図である。
【符号の説明】
【００５０】
１…テープカセット、２…上シェル、３…下シェル、３ａ…前壁、３ｂ…リブ構成体、３ｃ…切欠き、３ｄ…位置決めリブ、３ｅ…係合凹所、４…カセット本体、５…磁気テープ、６…テープリール、２２，３２…ランプキャップ、２２ａ，３２ａ…天板部、２２ｂ，３２ｂ…脚部、２２ｃ，３２ｃ…透孔部、２２ｄ，３２ｄ…位置決め突起、３２ｅ…組付方向規制リブ、２２ｆ，３２ｆ…ガイドリブ、２３…光源収納部、２４…検出窓、３０…光源、１０７…検出センサ。
【図１】
2005243198.tif 000003
【図２】
2005243198.tif 000004
【図３】
2005243198.tif 000005
【図４】
2005243198.tif 000006
【図５】
2005243198.tif 000007
【図６】
2005243198.tif 000008
【図７】
2005243198.tif 000009
【図８】
2005243198.tif 000010
【図９】
2005243198.tif 000011
【図１０】
2005243198.tif 000012
【図１１】
2005243198.tif 000013
【図１２】
2005243198.tif 000014
【図１３】
2005243198.tif 000015
【図１４】
2005243198.tif 000016
【図１５】
2005243198.tif 000017
【図１６】
2005243198.tif 000018
【図１７】
2005243198.tif 000019